(57)【要約】【課題】  コンピューターのディスプレーの枠体や、液晶テレビ或いはプラズマテレビ等のディスプレー用の枠体など、内側に開口部を有する合成樹脂製枠体を、性状的に一定品質の合成樹脂成形品として一挙に成形することができる。【解決手段】  内側に開口部を有する合成樹脂製枠体の成形方法であって、  前記枠体成形用の周部キャビティ３００と、該周部キャビティ３００に連通する溶融樹脂原料の注入ゲート４００を備え、かつ、当該注入ゲート４００が、前記開口部に対応する位置の領域全体に亘って設けられた溶融樹脂原料の貯留部４０１を備えた金型を用い、  この金型内に供給された溶融樹脂原料を前記貯留部４０１で一旦貯留し、この貯留部４０１から前記周部キャビティ３００への溶融樹脂原料の注入分を閉型時に前記周部キャビティ３００に注入して成形することを特徴とする。【選択図】  図２
2006305865.tif 000002
【特許請求の範囲】
【請求項１】
内側に開口部を有する合成樹脂製枠体の成形方法であって、
前記枠体成形用の周部キャビティと、該周部キャビティに連通する溶融樹脂原料の注入ゲートを備え、かつ、当該注入ゲートが、前記開口部に対応する位置の領域全体に亘って設けられた溶融樹脂原料の貯留部を備えた金型を用い、
この金型内に供給された溶融樹脂原料を前記貯留部で一旦貯留し、この貯留部から前記周部キャビティへの溶融樹脂原料の注入分を閉型時に前記周部キャビティに注入して成形することを特徴とする開口部を有する合成樹脂製枠体の成形方法。
【請求項２】
周部キャビティに連通する注入ゲートが、前記貯留部から前記周部キャビティへの連通を遮断する閉鎖部を備え、
当該閉鎖部が、閉型後で周部キャビティへの溶融樹脂原料の注入時に前記貯留部から軸方向に移動して当該貯留部の閉鎖を解除し、当該貯留部から溶融樹脂原料を周部キャビティ内に注入し、
注入後、当該閉鎖部が軸方向に戻り、前記貯留部を閉鎖して、成形することを特徴とする請求項１記載の、開口部を有する合成樹脂製枠体の成形方法。
【請求項３】
前記閉鎖部が、金型内に断続的に供給される溶融樹脂原料の押し出し圧力で閉鎖を解除する請求項２記載の、開口部を有する合成樹脂製枠体の成形方法。
【発明の詳細な説明】
【技術分野】
【０００１】
本発明は、内側に開口部を有する合成樹脂製枠体の成形方法に関する。
【背景技術】
【０００２】
従来、額縁などの枠体、コンピューターのディスプレーの枠体や、液晶テレビ或いはプラズマテレビ等のディスプレー用の枠体など、内側に開口部を有する合成樹脂製枠体が提供されている。そして、その成形は、枠体成形用の金型の周部キャビティに溶融樹脂原料の注入ゲートを直接設け、周部キャビティをいわば溶融原料の湯の流路として当該周部キャビティに溶融原料を打ち込み、成形する方法であった。
【０００３】
しかしながら、かかる方法で成形すると、周部キャビティがいわば溶融原料の湯の流路として用いられるため、その流れに応じた成形品が成形され、また注入ゲート付近と、当該注入ゲートより最も遠い部分の溶融原料の性状は相違するため、性状的には一定品質の合成樹脂成形品を成形し難い問題があった。特に、周部キャビティの途中で一方側から流れてきた溶融原料と他方側から流れてきた溶融原料とがぶつかり合う部位ではその傾向が大きい。
かかる点は、ディスプレーの面が大きくなればなるほど、枠体の大きさや面積を小さくする成形品も多く提供されており、かかる問題の解決はきわめて重要な課題といえる。
【発明の開示】
【発明が解決しようとする課題】
【０００４】
本発明の課題は、額縁などの枠体、コンピューターのディスプレーの枠体や、液晶テレビ或いはプラズマテレビ等のディスプレー用の枠体など、内側に開口部を有する合成樹脂製枠体を、性状的に一定品質の合成樹脂成形品として一挙に成形することができる成形方法を提供するところにある。
【課題を解決するための手段】
【０００５】
上記課題を解決するため、
本請求項1の発明は、内側に開口部を有する合成樹脂製枠体の成形方法であって、
前記枠体成形用の周部キャビティと、該周部キャビティに連通する溶融樹脂原料の注入ゲートを備え、かつ、当該注入ゲートが、前記開口部に対応する位置の領域全体に亘って設けられた溶融樹脂原料の貯留部を備えた金型を用い、
この金型内に供給された溶融樹脂原料を前記貯留部で一旦貯留し、この貯留部から前記周部キャビティへの溶融樹脂原料の注入分を閉型時に前記周部キャビティに注入して成形することを特徴とする開口部を有する合成樹脂製枠体の成形方法である。
【０００６】
本請求項２の発明は、周部キャビティに連通する注入ゲートが、前記貯留部から前記周部キャビティへの連通を遮断する閉鎖部を備え、
当該閉鎖部が、閉型後で周部キャビティへの溶融樹脂原料の注入時に前記貯留部から軸方向に移動して当該貯留部の閉鎖を解除し、当該貯留部から溶融樹脂原料を周部キャビティ内に注入し、
注入後、当該閉鎖部が軸方向に戻り、前記貯留部を閉鎖して、成形することを特徴とする請求項１記載の、開口部を有する合成樹脂製枠体の成形方法である。
【０００７】
本請求項３の発明は、前記閉鎖部が、金型内に断続的に供給される溶融樹脂原料の押し出し圧力で閉鎖を解除する請求項２記載の、開口部を有する合成樹脂製枠体の成形方法である。
【発明の効果】
【０００８】
本発明の方法によれば、周部キャビティに前記溶融樹脂原料の注入路を設けるのではなく、前記開口部に対応する位置の領域全体に亘って設けられた溶融樹脂原料の貯留部を備えた金型を用い、この金型内に供給された溶融樹脂原料を前記貯留部で一旦貯留し、この貯留部から前記周部キャビティへの溶融樹脂原料の注入分だけを閉型時に前記周部キャビティに一度に注入して成形する方法であるため、従来のように金型内の位置によって溶融原料の性状が異なるということが回避されるため、性状的に一定品質の合成樹脂成形品をワンショットで一挙に成形することができる。
【発明を実施するための最良の形態】
【０００９】
以下、図面を用いて本発明を詳述する。ただし、本発明は、図面に示された態様に限られるものではない。
【００１０】
図１は本発明にかかるコンピューターの液晶ディスプレー用枠体の概略平面図である。１は合成樹脂の枠体、２はこの枠体をはめ込む液晶ディスプレー用の開口部である。
【００１１】
図２は上記合成樹脂製枠体を製造する金型を示す概略半断面図である。図２において、１００は金型の一方の固定型、２００は当該金型の他方の移動型である。ＣＬは中心軸を示す仮想線である。ＰＬは固定型１００に対する移動型２００の合わせ位置（割り位置）である。
【００１２】
この金型には、前記枠体成形用の周部キャビティ３００と、該周部キャビティ３００に連通する溶融樹脂原料の注入ゲート４００を備えている。当該注入ゲート４００は、前記開口部に対応する位置の領域全体に亘って設けられた溶融樹脂原料の貯留部４０１を備えている。
従って、矢印Ａに示すように、この金型内に供給路５００を通じて供給されたされた溶融樹脂原料を前記貯留部４０１で一旦貯留し、この貯留部４０１から前記周部キャビティ３００への溶融樹脂原料の注入分を閉型時に前記周部キャビティ３００に注入して成形する。
【００１３】
なお、本実施例では特に、前記注入ゲート４００が、前記貯留部４０１から前記周部キャビティ３００への連通を遮断する閉鎖部６００を備えている。そしてこの閉鎖部６００は、固定型１００に対して当該固定型１００方向に向かう力で付勢されており、かつ前記貯留部４０１に断続的に供給される溶融樹脂原料の押し出し圧力でこの前記固定型１００方向に向かう力を押圧する構成となっている。
従って、当該閉鎖部６００は、前記溶融樹脂原料が前記供給路５００から貯留部４０１に断続的に供給されると、その供給に応じて貯留部４０１に対して閉鎖が解除され、貯留部４０１の周域から溶融樹脂原料がキャビティ内に一挙に注入される。注入後は、当該閉鎖部６００が軸方向を前記貯留部４０１に戻って前記貯留部４０１を閉鎖し、成形することになる。なお、６０１は、閉鎖部６００に対して固定型１００方向に向かう力を与える付勢手段である。
【００１４】
本実施形態の方法は、上記のとおりであるので、額縁などの枠体、コンピューターのディスプレーの枠体や、液晶テレビ或いはプラズマテレビ等のディスプレー用の枠体など、内側に開口部を有する合成樹脂製枠体を、性状的に一定品質の合成樹脂成形品として一挙に成形することができる。特に、ディスプレーの面が大きくなり、それに応じて枠体の大きさや面積を小さくする成形品を製造する必要がある場合でも、性状的に一定品質の合成樹脂成形品を一挙に成形することができる点で従来には全く提案されてこなかった格別顕著な作用効果を奏する合成樹脂製品の成形方法である。なお、前記合成樹脂原料としては格別限定されず、種々の樹脂原料を用いることができる。また各種の顔料、染料などの着色剤を用いることも可能である。特にメリック調の枠体とする場合はアルミニウム粉などの金属粉顔料を配合することもできる。なお、特に本発明では、着色剤を配合しない等、通常のインジェクション成形において樹脂の流れが現れやすかった透明又は半透明の合成樹脂の枠体においては、本発明によっる成形方法は格別好ましい方法である。
【産業上の利用可能性】
【００１５】
本発明は、額縁などの枠体、コンピューターのディスプレーの枠体や、液晶テレビ或いはプラズマテレビ等のディスプレー用の合成樹脂製枠体の成形方法として利用することができる。
【図面の簡単な説明】
【００１６】
【図１】本発明にかかるコンピューターの液晶ディスプレー用枠体の概略平面図である。
【図２】上記合成樹脂製枠体を製造する金型を示す概略半断面図である。
【符号の説明】
【００１７】
１                        枠体
２                        開口部
１００                    固定型
２００                    移動型
３００                    周部キャビティ
４００                    注入ゲート
４０１                    貯留部
５００                    供給路
６００                    閉鎖部
【図１】
2006305865.tif 000003
【図２】
2006305865.tif 000004